(57)【要約】      （修正有）【課題】緊急連絡手段として災害時に遭遇した時点で通信ネットワークによる双方向通信等が開始でき、移動局の携帯回線を呼び出しするＧＰＳ（全地球即位システム）ポケベルを提供する。【解決手段】汎用ポケットベル（登録商標）１にＧＰＳ通信モジュールを内蔵して移動局とし、基地局１１及び通信ネットワーク１２により移動局を呼出すと、ＧＰＳ電波の緯度、経度と基地局、ＧＳＭ規格通信システムの２次元電波によりＧＰＳアンデナが遮蔽された状態でも現在位置等の情報を解析し、リアルタイムで位置データを基地局のパソコン１３の電子地図画面上とサーバーで確認させる。位置データは関係者の所有する携帯電話１０等に送信され、関係機関７に通報される。【選択図】図１
2005027203.tif 000002
【特許請求の範囲】
【請求項１】
汎用ポケットベル（登録商標）システムの従来機能をそのまま利用することができ、高性能モデムと汎用のＧＰＳ（全地球即位システム）携帯電話（登録商標）に内蔵のＧＰＳ通信モジュール（高感度ＧＰＳ通信通信モジュール等）を内蔵して移動局として、人・動物・車輌・動産等に携帯および搭載させ、基地局（通信キャリアメーカー等）の通信ネットワークを利用して双方向通信から移動局を呼出しすると、ＧＰＳ（全地球即位システム）電波の緯度、経度等と基地局（通信キャリアメーカー等）利用の２次元電波により現在位置等の情報の解析が開始され、リアルタイムに位置データ（各種情報）等が基地局（通信キャリアメーカー等）利用のパソコンの電子地図画面上とサーバー管理ソフト上で確認すると、関係者の所有する（携帯電話・Ｉモード・Ｌモード・ＩＰ電話・ＰＤＡ・カーナビ・インターネットテレビ等登録商標）のコンテンツのサイトの中で情報収集できることを特徴とするＧＰＳ（全地球即位システム）ポケベルである。
【請求項２】
前記の移動局を人に携帯させ、危機管理として自然災害（特に地震時の安否等）、不慮の事件・事故（強盗・誘拐・通り魔等）に遭遇した時点の緊急連絡手段として移動局に設置したタッチボタンを押すことにより、移動局の双方向通信から緊急指示が基地局（通信キャリアメーカー等）に伝送され、基地局（通信キャリアメーカー等）利用のパソコンの電子地図画面上とサーバー管理ソフト上で確認すると、リアルタイムに位置データ（各種情報）等が取得でき関係機関（１１０番・１１９番等）に対して通報できる請求項１に記載のＧＰＳ（全地球即位システム）ポケベルである。
【請求項３】
請求項１に記載の移動局を人に限定して、携帯させ、危機管理として緊急連絡手段のタッチボタンを押すことで、その時だけの双方向通話が開始され対話でき、パスワード、キーワード（１文にまとめた文章が数百文収納、例えばシキュウタスケヲ、マツ等）を言うことによっても、メール配信が自動的に開始され、基地局（通信キャリアメーカー等）利用のパソコンの電子地図画面上とサーバー管理ソフト上で確認すると、リアルタイムに位置データ（各種情報）等を取得でき、関係機関（１１０番・１１９番等）に通報する請求項１、請求項２に記載のＧＰＳ（全地球即位システム）ポケベルである。
【請求項４】
請求項１に記載の移動局を人に限定して、携帯させ、ペンタッチボタンとスクロールボタン（上、下に押すと１文にした文章が選べ、右に押すと解除、左に押す決定できる）を兼ね備え、ペンタッチボタンを押すことにより通信状態が得られ、スクロールボタン（上、下に押すと１文にした文章が選べ、右に押すと解除、左に押す決定できる）の操作により、基地局（通信キャリアメーカー等）利用でメール配信およびその時だけの通話が自動的に開始される請求項１、請求項２に記載のＧＰＳ（全地球即位システム）ポケベルである。
【請求項５】
カーナビゲーシテョンシステムを内蔵したホームリサーチナビゲーションシステム（登録商標）を家庭内に設置して、請求項１に記載の移動局を人に限定して、携帯させ、家庭内のアナログ回線から請求項１に記載の移動局の携帯回線を呼出しすると請求項１に記載した移動局のリアルタイムの位置データ（各種情報）等が、ホームリサーチナビゲーションシステム（登録商標）の電子地図画面上で確認でき、ホームリサーチナビゲーションシステム（登録商標）のカーナビ機能を利用することにより追跡、保護、救護できる請求項１、請求項２に記載のＧＰＳ（全地球即位システム）ポケベルである。
【請求項６】
請求項１、請求項２に記載の移動局にブルートゥース（登録商標）通信モジュールを組み込むことにより、ＧＰＳアンテナが遮蔽された状態でもブルートゥース（登録商標）通信システムにより、リアルタイムの位置データ（各種情報）等が基地局（通信キャリアメーカー等）利用の通信ネットワークによる双方向通信から、リアルタイムに位置データ（各種情報）等を取得でき関係機関（１１０番・１１９番等）に通報する請求項１、請求項２に記載のＧＰＳ（全地球即位システム）ポケベルである。
【請求項７】
請求項１、請求項２に記載の移動局にＧＳＭ規格通信モジュールを組み込むことによっても、リアルタイムの位置データ（各種情報）等が取得できる請求項１、請求項２に記載のＧＰＳ（全地球即位システム）ポケベルである。
【発明の詳細な説明】
【０００１】
【発明の属する技術分野】
汎用ポケットベル（登録商標）の機能がそのまま使用でき、高性能モデムと汎用のＧＰＳ（全地球即位システム）携帯電話（登録商標）のＧＰＳ通信モジュールを内蔵して移動局として、人・動物・車輌・動産等に携帯および搭載させ、基地局（通信キャリアメーカー等）利用の通信ネット・ワークによる双方向通信により、移動局を呼出しすると、ＧＰＳ（全地球即位システム）により現在位置情報（各種情報）の解析が開始され、リアルタイムに位置データ（各種情報）等が基地局（通信キャリアメーカー等）利用のパソコン電子地図画面上とサーバー管理ソフト上で確認でき、（携帯電話、Ｉモード・Ｌモード・ＩＰ電話・ＰＤＡ・カーナビ・インターネットテレビ等登録商標）のコンテンツのサイトの中で情報収集でき、緊急連絡手段としてタッチボタン（緊急時にだけ通話ができる）を設定して、パスワード、キーワード（１文にまとめた数百文例えばシキュウタスケヲ、マツ等）によるメール配信でき、ＧＳＭ規格通信モジュールを組み込むことによっても確認でき、ＧＰＳアンテナが遮蔽された状態でも基地局（通信キャリアメーカー等）利用の２次元電波により現在位置等の情報の解析でき、ブルートゥース（登録商標）通信システムにより、リアルタイムの位置データ（各種情報）等が取得できることを特徴とするＧＰＳ（全地球即位システム）ポケベルに関するものである。
【０００２】
【従来の技術】
従来の汎用ポケットベル（登録商標）は、通話できないため、着信メッセージを受取り、メール配信もしくは別な通信手段を利用して、相手に意思表示する事ができ一時は画期的に普及していたが、携帯電話（登録商標）の汎用によって流通がマヒして影を潜めてしまっている。しかしながら、危機管理に関しては携帯電話（登録商標）を凌ぐ小型軽量で、場所をとらない、通話できないが緊急連絡手段としてパスワード、キーワード（１文にまとめた文章が数百文収納、例えばシキュウタスケヲ、マツ等）によるメール配信できる等、高性能モデムと汎用携帯電話（登録商標）のＧＰＳ（全地球即位システム）通信モジュールを内蔵した移動局を人・動物・・車輌・動産等に携帯および搭載させることにより、危機管理の充実、探索行動が大きく飛躍できる等、従来このような技術的手段としてのＧＰＳ（全地球即位システム）ポケベルが準備されていなかった。
【０００３】
【発明が解決しようとする課題】
本発明の課題は、汎用ポケットベル（登録商標）の機能がそのままに、高性能モデムと汎用携帯電話（登録商標）のＧＰＳ（全地球即位システム）通信モジュールを内蔵して移動局として、人・動物・車輌・動産等に携帯および搭載させ、基地局（通信キャリアメーカー等）利用の通信ネットワークによる双方向通信を利用して、移動局を呼出しすると、ＧＰＳ（全地球即位システム）により現在位置情報等の解析が開始され、リアルタイムに位置データ（各種情報）等が基地局（通信キャリアメーカー等）利用のパソコン電子地図画面上とサーバー管理ソフト上で確認でき、基地局（通信キャリアメーカー等）利用により、関係機関（１１０番・１１９番等）に通報でき、関係者の（携帯電話、Ｉモード・Ｌモード・ＩＰ電話・ＰＤＡ・カーナビ・インターネット・テレビ等登録商標）のコンテンツのサイトの中に情報が配信できるようになり、危機管理対策に貢献できる有効な手段を提供することである。
【０００４】
【課題が解決しようとする手段】
上記の課題は、汎用ポケットベル（登録商標）に高性能モデムと汎用のＧＰＳ（全地球即位システム）携帯電話（登録商標）に内蔵のＧＰＳ通信モジュール（高感度ＧＰＳ通信通信モジュール等）を内蔵して移動局として、人・動物・車輌・動産等に携帯および搭載させ、基地局（通信キャリアメーカー等）利用の通信ネットワークを利用して、危機管理を確保する等、ＧＰＳ（全地球即位システム）ポケベルにより、達成することができる。
【０００５】
上記の移動する人・動物・車輌・動産等に汎用ポケットベル（登録商標）に高性能モデムと汎用のＧＰＳ（全地球即位システム）携帯電話（登録商標）に内蔵のＧＰＳ通信モジュール（高感度ＧＰＳ通信通信モジュール等）を内蔵して移動局として、携帯および搭載させ、基地局（通信キャリアメーカー等）利用の通信ネットワークを利用した双方向通信およびカーナビゲーションシステムを内蔵したホームリサーチナビゲーションシステム（登録商標）を家庭内に設置して、家庭内のアナログ回線から移動局の携帯回線を介して位置情報等を受信して現在位置情報等を基地局（通信キャリアメーカー等）利用のパソコン等の電子地図画面上とサーバー管理ソフト上とカーナビゲーションシステムを内蔵したホームリサーチナビゲーション（登録商標）の電子地図画面上に写し出せるようになり、受信して現在位置等の情報が個々の液晶画面上で見ることができる。
【０００６】
前記の移動局のＧＰＳアンテナが遮蔽された状態であっても基地局（通信キャリアメーカー等）利用の２次元電波による方法とブルートゥース（登録商標）通信システムにより現在位置等の情報の解析が開始され、リアルタイムに位置データ（各種情報）等が基地局（通信キャリアメーカー等）利用のパソコンの電子地図画面上とサーバー管理ソフト上で確認すると、関係者の所有する（携帯電話・Ｉモード・Ｌモード・ＩＰ電話・ＰＤＡ・カーナビ・インターネットテレビ等登録商標）のコンテンツのサイトの中で情報収集できる。
【０００７】
移動局にＧＳＭ規格通信モジュールを組み込むことによっても、リアルタイムの位置データ（各種情報）等が取得できる。
【０００８】
移動局を人に携帯させ、自然災害（特に地震時の安否等）、不慮の事件・事故（強盗・誘拐・通り魔等）に遭遇した時点で移動局に設置したタッチボタンを押すことにより、移動局の双方向通信から緊急指示が基地局（通信キャリアメーカー等）に伝送され、基地局（通信キャリアメーカー等）利用のパソコンの電子地図画面上とサーバー管理ソフト上で確認でき、関係機関（１１０番・１１９番等）に対する通報ができる。
【０００９】
移動局を人に限定して、携帯させ、危機管理として緊急連絡手段のタッチボタンを押すことで、その時だけの双方向通話が開始され対話でき、パスワード、キーワード（１文にまとめた文章が数百文収納、例えばシキュウタスケヲ、マツ等）を言うことによっても、メール配信が自動的に開始され、基地局（通信キャリアメーカー等）で確認できる。
【００１０】
移動局を人に限定して、携帯させ、ペンタッチボタンとスクロールボタン（上下に押すと１文にした文章が選べ、右に押すと解除、左に押す決定できる）を兼ね備え、ペンタッチボタンを押すことにより通信状態が得られ、スクロールボタン（上、下に押すと１文にした文章が選べ、右に押すと解除、左に押す決定できる）操作により、メール配信できる。
【００１１】
カーナビゲーションシステムを内蔵したホームリサーチナビゲーションシステム（登録商標）を家庭内に設置して、移動局を人に限定して、携帯させ、家庭内のアナログ回線から移動局の携帯回線を呼出しするとリアルタイムの位置データ（各種情報）等が、カーナビゲーションシステムを内蔵したホームリサーチナビゲーションシステム（登録商標）の電子地図画面上で確認でき、カーナビゲーションシステムを内蔵したホームリサーチナビゲーションシステム（登録商標）のカーナビ機能を利用することにより追跡、保護、救護できる。
【００１２】
【発明の実施の形態】
以下に、添付図面を参照しつつ、本発明に係るＧＰＳ（全地球即位システム）ポケベルの一実施例を挙げる。図１はＧＰＳ（全地球即位システム）ポケベルの全体の構成を示す概念図である。すなわち、汎用ポケットベル（登録商標）システムの従来機能をそのまま利用することができ、高性能モデムと汎用のＧＰＳ（全地球即位システム）携帯電話（登録商標）に内蔵のＧＰＳ通信モジュール（高感度ＧＰＳ通信通信モジュール等）を内蔵して移動局として、人・動物・車輌・動産等に携帯および搭載させ、基地局（通信キャリアメーカー等）の通信ネットワークを利用して双方向通信から移動局を呼出しすると、ＧＰＳ（全地球即位システム）電波の緯度、経度等と基地局（通信キャリアメーカー等）利用の２次元電波により現在位置等の情報の解析が開始され、リアルタイムに位置データ（各種情報）等が基地局（通信キャリアメーカー等）利用のパソコンの電子地図画面上とサーバー管理ソフト上で確認すると、関係者の所有する（携帯電話・Ｉモード・Ｌモード・ＩＰ電話・ＰＤＡ・カーナビ・インターネットテレビ等登録商標）のコンテンツのサイトの中で情報収集でき、移動局を人に携帯させ、危機管理として自然災害（特に地震時の安否等）、不慮の事件・事故（強盗・誘拐・通り魔等）に遭遇した時点の緊急連絡手段として移動局に設置したタッチボタンを押すことにより、移動局の双方向通信から緊急指示が基地局（通信キャリアメーカー等）に伝送され、その時だけの双方向通話が開始され対話でき、パスワード、キーワード（１文にまとめた文章が数百文収納、例えばシキュウタスケヲ、マツ等）を言うことによっても、メール配信が自動的に開始される。ペンタッチボタンとスクロールボタン（上、下に押すと１文にした文章が選べ、右に押すと解除、左に押す決定できる）を兼ね備え、ペンタッチボタンを押すことにより通信状態が得られ、スクロールボタン（上、下に押すと１文にした文章が選べ、右に押すと解除、左に押す決定できる）操作等により、基地局（通信キャリアメーカー等）等）利用でメール配信およびその時だけの通話が自動的に開始されることで、基地局（通信キャリアメーカー等）利用のパソコンの電子地図画面上とサーバー管理ソフト上で確認すると、リアルタイムに位置データ（各種情報）等を収得でき、関係機関（１１０番・１１９番等）に通報できる。又、カーナビゲーションシステムを内蔵したホームリサーチナビゲーションシステム（登録商標）を家庭内に設置して、移動局を人に限定して、携帯させ、家庭内のアナログ回線から移動局の携帯回線を呼出しすると移動局のリアルタイムの位置データ（各種情報）等が、カーナビゲーションシステムを内蔵したホームリサーチナビゲーションシステム（登録商標）の電子地図画面上で確認でき、カーナビ機能を利用することにより追跡、保護、救護できる。ＧＰＳアンテナが遮蔽された状態でも移動局にブルートゥース（登録商標）通信モジュールを組み込むことにより、基地局（通信キャリアメーカー等）利用の通信ネットワークによる双方向通信から、リアルタイムに位置データ（各種情報）等を取得でき関係機関（１１０番・１１９番等）に通報する。移動局にＧＳＭ規格通信モジュールを組み込むことによっても、リアルタイムの位置データ（各種情報）等が取得できるＧＰＳ（全地球即位システム）ポケベルである。
【００１３】
【発明の効果】
本発明のＧＰＳ（全地球即位システム）ポケベルは、汎用ポケットベル（登録商標）システムの従来機能をそのまま利用することができ、高性能モデムと汎用のＧＰＳ（全地球即位システム）携帯電話（登録商標）に内蔵のＧＰＳ通信モジュール（高感度ＧＰＳ通信通信モジュール等）を内蔵して移動局として、人・動物・車輌・動産等に携帯および搭載させ、基地局（通信キャリアメーカー等）の通信ネットワークを利用して双方向通信から移動局を呼出しすると、ＧＰＳ（全地球即位システム）電波の緯度、経度と基地局（通信キャリアメーカー等）利用の２次元電波により現在位置等の情報の解析が開始され、リアルタイムに位置データ（各種情報）等が基地局（通信キャリアメーカー等）利用のパソコンの電子地図画面上とサーバー管理ソフト上で確認すると、関係者の所有する（携帯電話・Ｉモード・Ｌモード・ＩＰ電話・ＰＤＡ・カーナビ・インターネットテレビ等登録商標）のコンテンツのサイトの中で情報収集でき、緊急連絡手段として移動局に設置したタッチボタンを押すことにより、移動局の双方向通信から緊急指示が基地局（通信キャリアメーカー等）に伝送され、その時だけの双方向通話が開始され対話でき、パスワード、キーワード（１文にまとめた文章が数百文収納、例えばシキュウタスケヲ、マツ等）を言うことによっても、メール配信が自動的に配信できる。ペンタッチボタンとスクロールボタン（上、下に押すと１文にした文章が選べ、右に押すと解除、左に押す決定できる）を兼ね備え、ペンタッチボタンを押すことにより通信状態が得られ、スクロールボタン（上、下に押すと１文にした文章が選べ、右に押すと解除、左に押す決定できる）操作により、基地局（通信キャリアメーカー等）利用でメール配信およびその時だけの通話ができる。ＧＰＳアンテナが遮蔽された状態でも移動局にブルートゥース（登録商標）通信モジュールを組み込むことにより、リアルタイムに位置データ（各種情報）等を取得でき関係機関（１１０番・１１９番等）に通報でき、ＧＳＭ規格通信モジュールを組み込むことによっても、リアルタイムの位置データ（各種情報）等が取得できる。又、カーナビゲーションシステムを内蔵したホームリサーチナビゲーションシステム（登録商標）を家庭内に設置して、移動局を人に限定して、携帯させ、家庭内のアナログ回線から移動局の携帯回線を呼出しすると移動局のリアルタイムの位置データ（各種情報）等が、カーナビゲーションシステムを内蔵したホームリサーチナビゲーションシステム（登録商標）の電子地図画面上で確認でき、カーナビ機能を利用することにより追跡、保護、救護等を確保できる。
【図面の簡単な説明】
【図１】ＧＰＳ（全地球即位システム）ポケベルの概念図である。
【符号の説明】
１．移動局のＧＰＳ（全地球即位システム）ポケベル
２．タッチボタン
３．ペンタッチボタン
４．スクロールボタン（上下に押すと１文にした文章が選べ、右に押すと解除、左に押す決定できる）
５．２．７インチＬＣＤ
６．人・動物・車輌・動産等
７．関係機関（１１０・１１９番等）
８．カーナビゲーションシステムを内蔵したホームリサーチナビゲーションシステム（登録商標）
９．ＧＰＳ（全地球即位システム）
１０．関係者の所有する（携帯電話・Ｉモード・Ｌモード・ＩＰ電話・ＰＤＡ・カーナビ・インターネットテレビ等登録商標）
１１．基地局（通信キャリアメーカー等）
１２．通信ネットワークを利用して双方向通信およびブルートゥース（登録商標）通信システムとＧＳＭ規格通信システム
１３．基地局（通信キャリアメーカー等）利用のパソコン）電子地図画面上とサーバー管理ソフト上
【図１】
2005027203.tif 000003